(57)【要約】【課題】蓄電池の据付時および蓄電池の交換等の接続作業を簡易化すると共に安全に行うことができる精度の高いエレベータ用非常電源装置を得る。【解決手段】上面に端子が設けられた複数の蓄電池１〜３と、この複数の蓄電池が等間隔となるように蓄電池の端子間を接続する電池間接続板９とを備え、この電池間接続板が、板状の絶縁材１０と、この絶縁材に埋め込まれ、蓄電池の端子に対応した位置に貫通孔を有する複数の導電部１１と、絶縁材に埋め込まれ、導電部を電気的に接続する導電接続部材１４と、導電部と電気的に接触するように絶縁材の両側に埋め込まれ、その一端が外部のケーブル５に接続される接続用スタッド１２とを備える。【選択図】　　　　図１
2004115215.tif 000002
【特許請求の範囲】
【請求項１】
停電時エレベータの非常救出運転の電源として用いられるエレベータ用非常電源装置であって、
上面に端子が設けられた複数の蓄電池と、
該複数の蓄電池が等間隔となるように上記蓄電池の端子間を接続する電池間接続板と
を備えたことを特徴とするエレベータ用非常電源装置。
【請求項２】
上記電池間接続板は、板状の絶縁材と、該絶縁材に埋め込まれ、上記蓄電池の端子に対応した位置に貫通孔を有する複数の導電部と、上記絶縁材に埋め込まれ、上記複数の導電部のうち選択された所定の導電部を電気的に接続する導電接続部材と、上記複数の導電部のうち定められた導電部と電気的に接触するように上記絶縁材の両側に埋め込まれ、その一端が外部のケーブルに接続される接続用スタッドとを備えたことを特徴とする請求項１記載のエレベータ用非常電源装置。
【請求項３】
上記蓄電池の端子は、上記導電部の貫通孔に挿入されてその端部をナットで締結固定することで上記電池間接続板に接続されることを特徴とする請求項２記載のエレベータ用非常電源装置。
【請求項４】
上記電池間接続板の端部に上記スタッドと対向して設けられ、該スタッドを介して上記蓄電池の充放電電流を検出する電流検出器を備えたことを特徴とする請求項２または３記載のエレベータ用非常電源装置。
【請求項５】
上記電池間接続板の端部に上記スタッドと対向して設けられ、該スタッドを介して上記蓄電池の電圧を検出する電圧検出器を備えたことを特徴とする請求項２または３記載のエレベータ用非常電源装置。
【請求項６】
上記電池間接続板の底部と上記蓄電池の上部表面の間に設けられ、上記蓄電池の表面温度を検出する温度検出器を備えたことを特徴とする請求項１〜５のいずれかに記載のエレベータ用非常電源装置。
【請求項７】
上記電池間接続板に内蔵され、上記蓄電池の情報を表示する表示手段を備えたこと特徴とする請求項１〜６のいずれかに記載のエレベータ用非常電源装置。
【発明の詳細な説明】
【０００１】
【発明の属する技術分野】
この発明は、エレベータ用非常電源装置に関し、特に、停電等の非常時に非常時用直流電源およびインバータにより非常救出運転を行うエレベータ用非常電源装置に関するものである。
【０００２】
【従来の技術】
図８は、従来のエレベータ用非常電源装置の一例を示す構成図である。図において、１，２，３は蓄電池、４，５，６，７は蓄電池用接続ケーブル、８は蓄電池１〜３により電源を供給されるエレベータ用制御装置である。
ここで、蓄電池１と２の端子間および蓄電池２と３の端子間がそれぞれ接続ケーブル６，７で接続され、また、蓄電池１と３の端子がそれぞれ接続ケーブル４，５によりエレベータ制御装置８に接続されて、直列接続構成とされている。
蓄電池１〜３は、エレベータの電源喪失時にエレベータに電源を供給するものであり、その電源容量が大きいため、接続ケーブル４，５および６，７は、その形状として太いものが必要になっている。
また、蓄電池１〜３の据付作業は、自己放電の関係からエレベータ工事の完了する時点が多いことから、現地での作業は、狭い場所での太いケーブルの接続作業が非常に困難な作業となっていた。（例えば、特許文献１、２）
【０００３】
【特許文献１】
実開平５−４９７７０
【特許文献２】
特開２００１−３４８１６９
【０００４】
【発明が解決しようとする課題】
ところで、従来のエレベータ用非常電源装置は、電源としての蓄電池に対して上述のように、狭いスペースでの接続作業を行う必要があるため、その接続作業に時間を要し、端子部分がボルト形状のものにおいては、太いケーブルを端子に接続するとき、ケーブルに力を加えながら、締付け工具を使う必要があるため、端子間およびキャビネットと接触して蓄電池を地絡させるおそれがあるので、注意深い作業を行なわないといけないという問題点があった。
【０００５】
この発明は、上記のような問題点を解消するためになされたもので、蓄電池の据付時および蓄電池の交換等の接続作業を簡易化すると共に安全に行える精度の高いエレベータ用非常電源装置を提供することを目的とする。
【０００６】
【課題を解決するための手段】
この発明に係るエレベータ用非常電源装置は、停電時エレベータの非常救出運転の電源として用いられるエレベータ用非常電源装置であって、上面に端子が設けられた複数の蓄電池と、該複数の蓄電池が等間隔となるように上記蓄電池の端子間を接続する電池間接続板とを備えたものである。
【０００７】
また、この発明に係るエレベータ用非常電源装置は、上記電池間接続板が、板状の絶縁材と、該絶縁材に埋め込まれ、上記蓄電池の端子に対応した位置に貫通孔を有する複数の導電部と、上記絶縁材に埋め込まれ、上記複数の導電部のうち選択された所定の導電部を電気的に接続する導電接続部材と、上記複数の導電部のうち定められた導電部と電気的に接触するように上記絶縁材の両側に埋め込まれ、その一端が外部のケーブルに接続される接続用スタッドとを備えたものである。
【０００８】
また、この発明に係るエレベータ用非常電源装置は、上記蓄電池の端子が、上記導電部の貫通孔に挿入されてその端部をナットで締結固定することで上記電池間接続板に接続されるものである。
【０００９】
また、この発明に係るエレベータ用非常電源装置は、上記電池間接続板の端部に上記スタッドと対向して設けられ、該スタッドを介して上記蓄電池の充放電電流を検出する電流検出器を備えたものである。
【００１０】
また、この発明に係るエレベータ用非常電源装置は、上記電池間接続板の端部に上記スタッドと対向して設けられ、該スタッドを介して上記蓄電池の電圧を検出する電圧検出器を備えたものである。
【００１１】
また、この発明に係るエレベータ用非常電源装置は、上記電池間接続板の底部と上記蓄電池の上部表面の間に設けられ、上記蓄電池の表面温度を検出する温度検出器を備えたものである。
【００１２】
また、この発明に係るエレベータ用非常電源装置は、上記電池間接続板に内蔵され、上記蓄電池の情報を表示する表示手段を備えたものである。
【００１３】
【発明の実施の形態】
以下、この発明の実施の形態を、図に基づいて説明する。
実施の形態１．
図１は、この発明の実施の形態１によるエレベータ用非常電源装置を示す全体概要図である。
図において、１〜３は蓄電池、４，５は蓄電池用接続ケーブル、８は蓄電池１〜３により電源を供給されるエレベータ用制御装置である。９は蓄電池１〜３の端子間を等間隔に接続する電池間接続板であって、後述されるように例えば絶縁材の中に銅板等の導電性の材料が埋め込んだもので構成されている。電池間接続板９と制御装置８間は、接続ケーブル４，５で接続される。
なお、隣り合う蓄電池１〜３の間で端子間を等間隔に接続すれば、蓄電池１〜３を等間隔に配置することができる。ただし、電池の配置を等間隔でなく、必要に応じ定められた所定の間隔で配置するようにすることもできる。
【００１４】
図２は，図１の電池間接続板の部分拡大図である。
図において、１０は電池間接続板９の一部を構成する板状の絶縁材、１１はこの絶縁材１０に埋め込まれた銅板等の導電性の材料からなり、蓄電池１〜３の端子に対応した位置に貫通孔１１ａを有する導電部、１２は導電部１１と電気的に接触するように絶縁材１０の両側に埋め込まれ、その一端が外部に突出して接続ケーブル５を介して制御装置８と接続するための接続用のスタッドである。また、３ａは蓄電池３の接続用端子であって、この接続用端子３ａの部分が導電部１１の貫通孔１１ａに挿入される。１３は蓄電池３の接続用端子３ａの端部に締結固定されて電池間接続板９の導電部１１と蓄電池３の接続用端子３ａを接続するためのナットである。
【００１５】
ここで，例えば蓄電池３の接続用端子３ａを電池間接続板９に設けられた導電部１１の貫通孔１１ａの部分に合わせて嵌め込み、ナット１３により接続用端子３ａの端部に締めこむだけで、接続用端子３ａと電池間接続板９の導電部１１が電気的に接続される。導電部１１は、電池間接続板９の接続用スタッド１２と電気的に接続されているので、このスタッド１２を外部の接続ケーブル５で制御装置８と接続するだけで、接続作業を容易に且つ短時間に行うことができる。
【００１６】
図３は、図１における蓄電池と電池間接続板の接続の仕方を示すもので、図３（ａ）は蓄電池を並列接続する場合の電池間接続板、図３（ｂ）は蓄電池を直列接続する場合の電池間接続板のそれぞれ一例を示す接続図である。
図３（ａ）の並列接続の場合は、各蓄電池１〜３の接続用端子に電気的に接続される導電部１１の内同極性同士のものを予め絶縁材１０に埋め込まれた導電接続部材１４で共通接続し、この共通接続されたそれぞれの極性の導電接続部材１４を接続用スタッド１２および接続ケーブル４または５を介して制御装置８の対応する極性の電源端子に接続する。
【００１７】
例えば、蓄電池１〜３の＋側（正側）の各接続用端子は導電部１１を介して導電接続部材１４により共通接続され、この導電接続部材１４が接続用スタッド１２および接続ケーブル４を介して制御装置８の＋側の電源端子に接続され、同様に、蓄電池１〜３の−側（負側）の各接続用端子は他の導電部１１を介して他の導電接続部材１４により共通接続され、この導電接続部材１４が接続用スタッド１２および接続ケーブル５を介して制御装置８の−側の電源端子に接続される。
【００１８】
また、図３（ｂ）の直列接続の場合は、各蓄電池１〜３の接続用端子に電気的に接続される導電部１１のうち異極性同士のものを予め絶縁材１０に埋め込まれた導電接続部材１４で接続し、両端にそれぞれ位置する各極性の導電部１１を接続用スタッド１２および接続ケーブル４または５を介して制御装置８の対応する極性の電源端子に接続する。
【００１９】
例えば、蓄電池１〜３の＋側の接続用端子と−側の接続用端子は導電部１１を介して導電接続部材１４により相互に直列接続され、この直列接続の一端に位置する＋側の導電部１１は接続用スタッド１２および接続ケーブル４を介して制御装置８の＋側の電源端子に接続され、同様に、直列接続の他端に位置する−側の導電部１１は接続用スタッド１２および接続ケーブル５を介して制御装置８の−側の電源端子に接続される。
【００２０】
このようにして、本実施の形態では、実質的に蓄電池間の接続にケーブルを使用しないことを可能としたので、簡易的に接続作業が可能になり、短時間で簡単に作業することができ、迅速に蓄電池の据付、交換作業が可能となる。
【００２１】
実施の形態２．
図４は、この発明の実施の形態２によるエレベータ用非常電源装置を示す部分拡大図である。なお、図４において、図２と対応する部分には同一符号を付し、その詳細説明を省略する。
図において、１５は電池間接続板９の端部にスタッド１２と対向して挟み込まれ、スタッド１２を介して蓄電池３（図１）に流れる充電電流および放電電流値を検出する電流検出器、１５ａは電流検出器１５と制御装置８（図１）とを接続するケーブルである。電流検出器１５は、スタッド１２を通して流れる電流により発生する磁界等を電流値に変換して計測することで、ケーブル１５ａを介して制御装置８に蓄電池３への充電電流および非常時運転時の放電電流の測定結果を伝達する。
【００２２】
このようにして、本実施の形態では、電池間接続板の端部にスタッドと対向して電流検出器を実質的に挟みこむだけで、電流検出器からのケーブルにより、制御装置に蓄電池への充電電流および非常時運転時の放電電流の測定結果を伝達可能となる。そして、制御装置では、その数値を元に充電コントロールおよび非常時運転の制御を行うことが可能になる。また、電池間接続板内に電流検出器を簡単に取付けて蓄電池の情報を逐次監視でき、高品質なエレベータの非常時運転が可能になり、さらに、簡易に蓄電池の電流の情報を入手することにより、品質の高い蓄電池の保守を行うことができる。
【００２３】
実施の形態３．
図５は、この発明の実施の形態３によるエレベータ用非常電源装置を示す部分拡大図である。なお、図５において、図２と対応する部分には同一符号を付し、その詳細説明を省略する。
図において、１６は電池間接続板９の端部にスタッド１２と対向して挟み込まれ、蓄電池３（図１）への充電時の電圧および非常時運転時における放電時の電圧値を検出する電圧検出器、１６ａは電圧検出器１６と制御装置（図１）８とを接続するケーブルである。
【００２４】
電圧検出器１６は、スタッド１２を通して流れる電流により発生する磁界等を電圧値に変換して計測することで、ケーブル１６ａを介して制御装置８に蓄電池３への充電時の電圧および非常時運転時における放電時の電圧値の測定結果を伝達する。
【００２５】
このようにして、本実施の形態では、電池間接続板の端部にスタッドと対向して電圧検出器を実質的に挟みこむだけで、電圧検出器からのケーブルが制御装置に、蓄電池への充電時の電圧および非常時運転時における放電時の電圧値の測定結果を伝達可能となる。そして、制御装置では、その数値を元に充電コントロールおよび非常時運転の制御を行うことが可能になる。また、電池間接続板内に電圧検出器を簡単に取付けて、蓄電池の情報を逐次監視でき、高品質なエレベータの非常時運転が可能になり、さらに、簡易に蓄電池の電圧の情報を入手することにより、品質の高い蓄電池の保守を行うことができる。
【００２６】
実施の形態４．
図６は、この発明の実施の形態４によるエレベータ用非常電源装置を示す部分拡大図である。なお、図６において、図２と対応する部分には同一符号を付し、その詳細説明を省略する。
図において、１７は電池間接続板９の底部と蓄電池３の上部表面の間に挟み込まれ、蓄電池３の表面温度を検出する温度検出器、１７ａは温度検出器１７と制御装置（図１）８とを接続するケーブルである。
温度検出器１７は、蓄電池３の表面温度、特に蓄電池３の寿命に関連して蓄電池３への充電時の温度を検出し、その結果を、ケーブル１７ａを介して制御装置８に伝達する。
【００２７】
このようにして、本実施の形態では、電池間接続板の底部と蓄電池の上部表面の間に温度検出器を実質的に挟みこむだけで、温度検出器からケーブルを介して制御装置に蓄電池の表面温度の測定結果を伝達可能となる。そして、制御装置ではその数値を元に充電コントロールが可能になる。また、電池間接続板内に温度検出器を簡単に取付けて、蓄電池の情報を逐次監視でき、高品質なエレベータの非常時運転が可能になり、さらに、簡易に蓄電池の温度の情報を入手することにより、品質の高い蓄電池の保守を行うことができる。
【００２８】
実施の形態５．
図７は、この発明の実施の形態５によるエレベータ用非常電源装置を示す部分拡大図である。なお、図７において、図２と対応する部分には同一符号を付し、その詳細説明を省略する。
図において、１８は電池間接続板９の上部表面に内蔵された、例えば７セグメントＬＥＤ等を用いた表示手段としての表示器である。
【００２９】
ここで、上記実施の形態２〜４における制御装置８へのケーブル１５ａ〜１７ａは、制御装置８へ接続されると共に、表示器１８にも接続され、表示器１８が、電流検出器１５で検出された電流、電圧検出器１６で検出された電圧、温度検出器１７で検出された温度等を表示できるようになされている。
【００３０】
このようにして、本実施の形態では、電池間接続板の上部表面に表示器を実質的に内蔵したので、蓄電池と制御装置との距離が離れている場合等に蓄電池側で、上記実施の形態２〜４の情報を数値で読み取れるので、蓄電池の効率の良い保守作業が可能になる。また、数値を表示する表示器の内蔵を可能にしたので、蓄電池の情報を逐次監視でき、高品質なエレベータの非常時運転を可能にする。
【００３１】
【発明の効果】
以上のように、この発明によれば、停電時エレベータの非常救出運転の電源と用いられるエレベータ用非常電源装置において、上面に端子が設けられた複数の蓄電池と、該複数の蓄電池が等間隔となるように上記蓄電池の端子間を接続する電池間接続板とを備えたので、簡易的に接続作業が可能になり、短時間で簡単にしかも安全に作業することができるという効果がある。
【００３２】
また、この発明によれば、上記電池間接続板が、板状の絶縁材と、該絶縁材に埋め込まれ、上記蓄電池の端子に対応した位置に貫通孔を有する複数の導電部と、上記絶縁材に埋め込まれ、上記導電部を電気的に接続する導電接続部材と、上記導電部と電気的に接触するように上記絶縁材の両側に埋め込まれ、その一端が外部のケーブルに接続される接続用スタッドとを備えたので、接続作業の簡易化と、作業時の時間の短縮化、安全化に寄与できるという効果がある。
【００３３】
また、この発明によれば、上記蓄電池の端子が、上記導電部の貫通孔に挿入されてその端部をナットで締結固定することで上記電池間接続板に接続されるので、接続作業の簡易化と、作業時の時間の短縮化、安全化に寄与できるという効果がある。
【００３４】
また、この発明によれば、上記電池間接続板の端部に上記スタッドと対向して設けられ、該スタッドを介して上記蓄電池の充放電電流を検出する電流検出器を備えたので、必要な情報を簡単に入手可能になり、精度の高い非常電源装置を得ることができ、高品質なエレベータの非常時運転に寄与できるという効果がある。
また、この発明によれば、上記電池間接続板の端部に上記スタッドと対向して設けられ、該スタッドを介して上記蓄電池の電圧を検出する電圧検出器を備えたので、必要な情報を簡単に入手可能になり、精度の高い非常電源装置を得ることができ、高品質なエレベータの非常時運転に寄与できるという効果がある。
【００３５】
また、この発明によれば、上記電池間接続板の底部と上記蓄電池の上部表面の間に設けられ、上記蓄電池の表面温度を検出する温度検出器を備えたので、必要な情報を簡単に入手可能になり、精度の高い非常電源装置を得ることができ、高品質なエレベータの非常時運転に寄与できるという効果がある。
【００３６】
また、この発明によれば、上記電池間接続板に内蔵され、上記蓄電池の情報を表示する表示手段を備えたので、蓄電池側で必要な情報を数値で読み取れて蓄電池の効率の良い保守作業が可能になり、また、必要な情報を簡単に入手可能になり、精度の高い非常電源装置を得ることができ、高品質なエレベータの非常時運転に寄与できるという効果がある。
【図面の簡単な説明】
【図１】この発明の実施の形態１によるエレベータ用非常電源装置を示す全体概要図である。
【図２】この発明の実施の形態１によるエレベータ用非常電源装置を示す部分拡大図である。
【図３】この発明の実施の形態１によるエレベータ用非常電源装置における蓄電池と電池間接続板の接続の仕方を示す図である。
【図４】この発明の実施の形態２によるエレベータ用非常電源装置を示す部分拡大図である。
【図５】この発明の実施の形態３によるエレベータ用非常電源装置を示す部分拡大図である。
【図６】この発明の実施の形態４によるエレベータ用非常電源装置を示す部分拡大図である。
【図７】この発明の実施の形態５によるエレベータ用非常電源装置を示す部分拡大図である。
【図８】従来のエレベータ用非常電源装置を示す構成図である。
【符号の説明】
１〜３　蓄電池、　　３ａ　蓄電池の接続用端子、　　４，５　蓄電池用接続ケーブル、　　８　エレベータ用制御装置、　　９　電池間接続板、　　１０　絶縁材、　　１１　導電部、　　１２　接続用スタッド、　　１３　ナット、　１４　導電接続部材、　　１５　電流検出器、　　１５ａ〜１７ａ　ケーブル、　　１６　電圧検出器、　　１７　温度検出器、　　１８　表示器。
【図１】
2004115215.tif 000003
【図２】
2004115215.tif 000004
【図３】
2004115215.tif 000005
【図４】
2004115215.tif 000006
【図５】
2004115215.tif 000007
【図６】
2004115215.tif 000008
【図７】
2004115215.tif 000009
【図８】
2004115215.tif 000010